(57)【要約】【課題】リアルタイム性の高い放送情報と、情報伝達の確実性が高いＷＥＢ情報を有機的に融合し、視聴者の自由度を犠牲にすることなく情報の利用を可能とするアドレス情報蓄積利用型放送受信手段を提供する。【解決手段】放送情報と、これに付随するインターネットホームページのアドレス情報を受信する放送受信手段において、制御により当該アドレス情報を蓄積手段に蓄積しておく機能を備えることにより、視聴者は自分の好きな時間、場所、手段を用いて当該アドレス情報を利用し、ＷＥＢページを閲覧することが可能となる。【選択図】図１
2005286748.tif 000002
【特許請求の範囲】
【請求項１】
放送情報と、
前記放送情報に多重され、ネットワーク上のデータの所在を示すアドレス情報と、
前記放送情報と前記アドレス情報とを受信する放送受信手段と、
制御により前記放送受信手段において受信された前記アドレス情報を蓄積する蓄積手段とを備えたアドレス情報蓄積利用型放送受信装置。
【発明の詳細な説明】
【技術分野】
【０００１】
本発明は、放送情報に関連したアドレス情報を蓄積することにより、当該アドレス情報を自由な時間、場所、手段で利用することを可能にするための放送受信装置に関するものである。
【背景技術】
【０００２】
テレビ放送及びラジオ放送などの即時的かつインパクトのある情報伝達手段と、ＷＥＢページなどの逐次的かつ伝達確実性の高い情報伝達手段とを融合させ、より効率的な情報伝達を行う方法が最近顕著になっている。例えば、テレビコマーシャルなどでは音と映像を駆使した商品アピールを行い、商品の詳細についてはＷＥＢページを閲覧してもらうために、インターネットアドレスを表示するなどの方法などがある。この場合、テレビコマーシャルに興味を促された視聴者は、より詳細な情報が掲載されているＷＥＢページにアクセスするために、コマーシャル中に出力されるインターネットアドレスを記憶或いは紙に書き留めるなどし、ＰＣなどでこのＷＥＢページを参照していた。
【０００３】
しかし、インターネットアドレスなどを即座に記憶或いは紙に書き留めるなどの作業は煩雑であるため、特許文献１では、テレビコマーシャルに関連するＷＥＢページを放送に同期して自動的に情報端末上に表示する方法が考案されている。
【特許文献１】特開２００３−２０３０３５号公報
【発明の開示】
【発明が解決しようとする課題】
【０００４】
しかしながら、テレビ放送と同期してＷＥＢ情報が情報端末に自動的に表示されるシステムでは、テレビからの情報と情報端末からの情報が双方とも即時性の高いものとなるため、結果的に視聴者はより多くの情報を同時に処理する必要があり、情報伝達の確実性がさらに低下するものと考えられる。
【０００５】
本発明は、前記従来の課題を解決するもので、アドレス情報を蓄積するための蓄積手段を別個に有することにより、視聴者は自分の好きな時間、場所、手段でこの蓄積されたアドレス情報を利用して、所望のＷＥＢページなどの閲覧を可能にする、アドレス情報蓄積型放送受信装置の提供を目的とする。
【課題を解決するための手段】
【０００６】
前記従来の課題を解決するために、本発明の請求項１に記載されるアドレス情報蓄積利用型放送受信装置は、放送情報と、前記放送情報に多重され、ネットワーク上のデータの所在を示すアドレス情報と、前記放送情報と前記アドレス情報とを受信する放送受信手段と、制御により前記放送受信手段において受信された前記アドレス情報を蓄積する蓄積手段とを備えることを特徴とする。
【発明の効果】
【０００７】
本発明のアドレス情報蓄積利用型放送受信装置によれば、アドレス情報を蓄積するための蓄積手段を有することにより、視聴者は前記アドレス情報を記憶或いは紙などに書き留めるなどの煩雑な作業を行う代わりに、簡単な制御によって当該アドレス情報を取得蓄積することが可能であり、視聴者の好きな時間、場所、手段で当該蓄積手段に蓄積された当該アドレス情報を利用して、所望のＷＥＢページなどの閲覧が可能となる。
【発明を実施するための最良の形態】
【０００８】
本発明の実施形態を説明する際に用いられる用語をあらかじめ以下のように定義しておく。
【０００９】
「放送情報」とは、放送番組、放送コマーシャル、などの映像音声情報ならびにラジオ放送などの音声情報などである。
【００１０】
「アドレス情報」とは、放送情報とは別個の任意の情報であり、例えばＵＲＬ、ＩＰアドレスならびに電話番号などが含まれる。
【００１１】
「放送受信手段」とは、放送情報を受信して放映する手段であり、例えばテレビ、パーソナルコンピュータ、テレビ機能付携帯端末、ラジオなどが含まれる。
【００１２】
「制御」とは、アドレス情報を蓄積するために行われる制御であり、例えば放送受信手段に搭載されているボタンの押下、放送受信手段を操作可能なリモコンのボタン操作などが含まれる。
【００１３】
「蓄積手段」とは、少なくともアドレス情報を蓄積するための手段であり、ハードディスク、フロッピディスク、メモリ、ＳＤカード、ＭＭＣ（マルチメディアカード）、メモリースティック、ＭＯ、ＣＤ、ＤＶＤ、ネットワーク上のサーバなどがこれに含まれる。
【００１４】
また、本発明を実施するにあたり、上記各用語に該当する項目の組み合わせは任意とする。
【００１５】
以下に本発明の実施の形態について、図面を参照しながら説明する。
【００１６】
図１は、本発明における実施の形態に係るアドレス情報蓄積利用型放送受信装置の構成を示す図である。
【００１７】
放送情報１０とアドレス情報２０とが、放送受信手段３０において受信される。例えば、放送情報１０としてはテレビ番組、テレビコマーシャルなどとし、アドレス情報２０としてはＵＲＬ、放送受信手段３０としてはテレビとする。なお、放送情報１０とアドレス情報２０とは、放送局などにおいて多重化（周波数多重、時間多重、コード多重、波長多重など）された後、同一の経路（例えばテレビ塔からの電波）を経て受信されても良いし、あるいは多重化はされずに、それぞれ別経路（例えば放送情報１０はテレビ塔からの電波を経由する一方、アドレス情報２０はインターネットを経由して）で受信されても良い。この際、放送情報１０であるテレビ番組あるいはコマーシャルなどと、アドレス情報２０であるＵＲＬデータなどは時間的に同期させ、視聴者が番組やコマーシャルを見て、それに関連するホームページのＵＲＬを取得する際に所望のアドレス情報を手に入れるようにできることが望ましい。
【００１８】
放送受信手段３０においては、放送情報１０とアドレス情報２０を受信する。まず、放送情報１０に関しては放送受信手段３０においてリアルタイムに放映される。一方、アドレス情報２０に関しては、例えば放送局などのようなアドレス情報発信元の発信方法によって、受信および蓄積の方法が複数考えられる。例えば、アドレス情報２０を番組中あるいはコマーシャル中に複数回繰り返して発信し、視聴者などの制御を受けた場合に繰り返して発信されているアドレス情報２０のうち、制御直後のものを受信し、蓄積手段５０に蓄積する方法が考えられる。
【００１９】
一方で、アドレス情報２０を複数回繰り返して発信するためのリソースを削減するために、番組あるいはコマーシャルの最初あるいはコマーシャルから番組に切り替わる際などにアドレス情報２０を発信し、放送受信手段３０においては、当該アドレス情報を同一の番組あるいはコマーシャルが放送されている間保持するためのバッファを設け、視聴者などから制御４０を受けた際にバッファ内のアドレス情報を蓄積手段に蓄積する方法もある。
【００２０】
さらに、制御４０によって蓄積手段５０に蓄積されるアドレス情報２０は、放送受信手段において受信されたアドレス情報２０と同等であっても異なっていても良い。例えば、放送受信手段３０において受信されるアドレス情報はＵＲＬデータのみとし、制御４０が行われた際に、放送受信手段において現在時刻と選択されているテレビチャネルなどの情報をアドレス情報２０に付加した上で、蓄積手段５０に蓄積しておけば、当該蓄積されたアドレス情報２０を利用する際に、当該アドレス情報２０がどの番組でいつ入手されたかを一目で判断する手がかりとなったり、あるいは当該ＵＲＬを利用してＷＥＢページを閲覧をする際に、当該とチャネル情報が自動的にホームページを開設しているスポンサーなどにフィードバックされるようにしておけば、宣伝効果などの測定を行ったりすることも可能である。
【００２１】
放送受信手段３０においてアドレス情報２０が受信された際は、当該アドレス情報を受信していることを告知するためのインジケータ、画面表示あるいは音声情報などを発する機能を有すれば、一部の番組あるいはコマーシャルで当該アドレス情報２０の発信が行われていない際にも、アドレス情報２０の有無が視聴者に対して一目でわかり、蓄積するための制御を誤って行うことを防ぐことが可能である。
【００２２】
次に、制御４０としては、テレビのリモコン上に配置されたアドレス情報２０を取得するためのボタンの押下による制御、あるいはテレビ本体上のボタン操作、タイマー予約などが考えられる。さらに、放送受信手段３０が例えばパーソナルコンピュータやＰＤＡなどであった場合は、キーボードによる操作あるいは、画面上に現れたボタンをマウスなどでクリックするといった手段も考えられる。また、放送受信手段３０が例えば携帯電話に搭載されたテレビ受信機能であった場合などは、携帯電話上のボタン押下、音声による命令、カーソル操作などが考えられる。
【００２３】
蓄積手段５０としては、例えばインターネットに接続可能なテレビ（放送受信装置３０の一例）などに内蔵されているメモリとした場合、リモコンなどの操作により、当該蓄積手段に蓄積されたＵＲＬデータを呼び出し、該当するＷＥＢページを表示再生することが可能である。
【００２４】
一方で、蓄積手段５０として、手軽に持ち運びが可能なＳＤカードなどを利用すれば、蓄積されたＵＲＬデータを自分の好きな時間、好きな場所で、デバイスを自由に選んでＷＥＢページを閲覧することが可能である。このようにすれば、他の家族などのテレビ閲覧を邪魔することなく、自分のプライベートな空間を利用して、気軽に蓄積されたアドレス情報を利用することが可能となる。
【産業上の利用可能性】
【００２５】
本発明は、放送と通信という異なる特性を持つ情報伝達媒体を有機的に結びつけるための方法であり、放送の即時的かつインパクトのある情報伝達と、通信の逐次的かつ伝達確実性の高い情報伝達との相乗効果を手軽に生み出すことが可能であるため、産業上の利用可能性は高いと考えられる。
【図面の簡単な説明】
【００２６】
【図１】本発明の実施の形態におけるアドレス情報蓄積利用型放送受信手段の構成を示す図
【符号の説明】
【００２７】
１０    放送情報
２０    アドレス情報
３０    放送受信手段
４０    制御
５０    蓄積手段
【図１】
2005286748.tif 000003